(57)【要約】【課題】陳列棚に引っ掛けて設置することができ、容易に脱落することがない回転ハンガーを提供する。【解決手段】本回転ハンガー１は、鉛直方向に開口する開口部３を有し開口部３の縁に商品を吊り下げる吊下部２と、吊下部の中心軸上に位置する軸受部５と、吊下部と軸受部とを接続する接続部７と、吊下部が軸受部を軸として回転可能となるよう軸受部を一端側で軸支し、他端側が吊下部の外縁方向に延出している腕部９と、腕部の他端側に設けられて陳列棚２１に係止される係止部１１と、を備えることを特徴とする。【選択図】図１
0003187206.tif 000002
【実用新案登録請求の範囲】
【請求項１】
鉛直方向に開口する開口部を有し前記開口部の縁に商品を吊り下げる吊下部と、
前記吊下部の中心軸上に位置する軸受部と、
前記吊下部と前記軸受部とを接続する接続部と、
前記吊下部が前記軸受部を軸として回転可能となるよう前記軸受部を一端側で軸支し、他端側が前記吊下部の外縁方向に延出している腕部と、
前記腕部の前記他端側に設けられて陳列棚に係止される係止部と、を備えることを特徴とする回転ハンガー。
【請求項２】
前記吊下部は円環形状である請求項１記載の回転ハンガー。
【請求項３】
前記腕部及び前記係止部は２組具備し、前記腕部の前記他端側は水平方向に離間している請求項１記載の回転ハンガー。
【請求項４】
前記吊下部は円環形状である請求項３記載の回転ハンガー。
【考案の詳細な説明】
【技術分野】
【０００１】
本考案は、複数の商品を吊り下げて陳列することができる回転ハンガーに関する。更に詳しくは、陳列棚に引っ掛けて設置することができ、容易に脱落することがない回転ハンガーに関する。
【背景技術】
【０００２】
従来より、商品陳列用の什器として回転陳列スタンドが知られている（例えば、特許文献１を参照。）。特許文献１に例示する陳列スタンドは、スタンドのベースと、ベースを土台として立設される支柱と、支柱を軸にして回転する陳列部となるスタンド本体とを備える。このような回転陳列スタンドは、スタンド本体を回転させることで、スタンド本体の外周に沿って陳列されている商品を順次正面に移動させることができ、その場で多くの商品を視認することができる。
【０００３】
しかし、このような回転陳列スタンドはその形状が一般の陳列棚と異なるため、一般の陳列棚と異なる場所に単独で設置する必要があり、棚のレイアウトがしづらい問題があった。
そこで、陳列棚に取り付け可能な回転ハンガーが提案されている（例えば、特許文献２を参照。）。特許文献２に示す回転ハンガーは、陳列棚に設けられている水平なバーに引っ掛けて係止されるアームに回転体が設けられており、その回転体に商品を吊り下げるためのフックが複数設けられている。このような回転ハンガーは、商品を吊り下げた状態で陳列棚に取り付けられ、回転体を回転させて吊り下げた各商品を順次正面に移動させることができ、その場で多くの商品を視認することができる。また、陳列棚に取り付けて使用するため陳列棚上で陳列することができ、陳列棚とは異なる場所に単独で設置する必要がなく、陳列棚を中心としたレイアウトに適している。
【先行技術文献】
【特許文献】
【０００４】
【特許文献１】特開２００２−１１９３９５号公報
【特許文献２】特開平０８−１９１７４２号公報
【考案の概要】
【考案が解決しようとする課題】
【０００５】
しかし、特許文献２に示す回転ハンガーは、商品が重なってフックに吊り下げられるため、単一内容の商品を吊り下げるのに適し、種類が異なる商品を多数陳列するのには適さない。また、回転体を回転させる際に与えられる力により、アームを軸として回動することがあり、大きく回動すると係止部がバーから外れて商品陳列ハンガー全体が脱落する恐れがある。特に、回転体がアームの他端部に設けられている垂設部の下端に設けられているため、垂設部がアームを支点とする梃となりアームが回動しやすくなる。
【０００６】
本考案は、上記のような問題に鑑み、陳列棚に引っ掛けて設置することができ、容易に脱落することがない回転ハンガーを提供することを目的とする。
【課題を解決するための手段】
【０００７】
本考案は、以下の通りである。
１．鉛直方向に開口する開口部を有し前記開口部の縁に商品を吊り下げる吊下部と、前記吊下部の中心軸上に位置する軸受部と、前記吊下部と前記軸受部とを接続する接続部と、前記吊下部が前記軸受部を軸として回転可能となるよう前記軸受部を一端側で軸支し、他端側が前記吊下部の外縁方向に延出している腕部と、前記腕部の前記他端側に設けられて陳列棚に係止される係止部と、を備えることを特徴とする回転ハンガー。
２．前記吊下部は円環形状である前記１．記載の回転ハンガー。
３．前記腕部及び前記係止部は２組具備し、前記腕部の前記他端側は水平方向に離間している前記１．記載の回転ハンガー。
４．前記吊下部は円環形状である前記３．記載の回転ハンガー。
【考案の効果】
【０００８】
本考案の回転ハンガーによれば、鉛直方向に開口する開口部を有し開口部の縁に商品を吊り下げる吊下部と、吊下部の中心軸上に位置する軸受部と、吊下部と軸受部とを接続する接続部と、吊下部が軸受部を軸として回転可能となるよう軸受部を一端側で軸支し、他端側が吊下部の外縁方向に延出している腕部と、腕部の他端側に設けられて陳列棚に係止される係止部と、を備えるため、吊下部の開口部の縁に沿って商品を多数吊り下げることができ、種類が異なる商品を多数陳列するのに適している。
また、吊下部が円環形状である場合は、商品を周に沿って陳列するため区切りが生じず、種類が異なる多数の商品を均一に陳列するのに特に適している。
腕部及び係止部は２組具備し、腕部の前記他端側は水平方向に離間している場合は、吊下部に力が加わっても係止部を軸にして回動しにくく、回転ハンガーを安定して使用することができる。
【図面の簡単な説明】
【０００９】
本考案について、本考案による典型的な実施形態の非限定的な例を挙げ、言及された複数の図面を参照しつつ以下の詳細な記述によって更に説明するが、同様の参照符号は図面のいくつかの図を通して同様の部品を示す。
【図１】陳列棚のバーに配設した回転ハンガーを示す斜視図である。
【図２】回転ハンガーの平面図である。
【図３】回転ハンガーの側面図である。
【図４】吊下部、軸受部及び接続部の構成を説明するための模式平面図である。
【図５】腕部及び係止部が１組である回転ハンガーにおいて、吊下部に上下方向の力が加わったときの動きを説明するための模式正面図である。
【図６】腕部及び係止部が２組である回転ハンガーにおいて、吊下部に上下方向の力が加わったときの動きを説明するための模式正面図である。
【図７】陳列棚に回転ハンガーを３段に分けて配設し、それぞれの吊下部に商品を吊り下げた状態を説明するための模式側面図である。
【図８】陳列棚の吊下部に商品を吊り下げた状態を説明するための模式斜視図である。
【考案を実施するための形態】
【００１０】
以下、図を参照しながら本考案の回転ハンガーを詳しく説明する。
ここで示される事項は例示的なもの及び本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【００１１】
本回転ハンガーは、フック等により吊り下げて陳列する商品を多数陳列するためのハンガーである。
図１〜３に示すように、本回転ハンガー１は、鉛直方向に開口する開口部３を有し開口部３の縁に商品を吊り下げる吊下部２と、吊下部２の中心軸上に位置する軸受部５と、吊下部２と軸受部５とを接続する接続部７と、吊下部２が軸受部５を軸として回転可能となるよう軸受部５を一端側で軸支し、他端側が吊下部２の外縁方向に延出している腕部９と、腕部９の他端側に設けられて陳列棚２１に係止される係止部１１と、を備えることを特徴とする。本回転ハンガー１は、例えば図１に示すように、商品を陳列する陳列棚２１に具備する水平方向に配設されたバー２５に係止して使用される。
【００１２】
本回転ハンガー１を構成する各部材の材質は特に問わず、金属、樹脂、木材等を例示することができる。
吊下部２は、図１及び図４に例示するように、商品のフック等を引っ掛けて吊り下げることができる棒状材等からなり、開口部が形成される円環形状等の形状とすることができる。また、吊下部２は前記形状に限定されず、正方形、正五角形、正六角形等の正多角形の枠体であってもよいし、長方形等としてもよい。更に、商品を吊り下げるための孔、突起、フック等が多数形成された枠体や板状体等であっても良い。
また、吊下部２の大きさは吊り下げる商品に合わせて適宜選択される。更に、陳列棚２１に設置したときに陳列棚２１の基台（図７に示す陳列棚２１の基台２７を参照。）からはみ出さない大きさが好ましい。また、商品を吊り下げたときに、その商品が陳列棚２１の基台からはみ出さない大きさとすることが更に好ましい。
【００１３】
軸受部５は、吊下部２が腕部９によって支えられ、且つ地面に対して水平方向に回転可能に軸支する軸受けである。軸受部５の軸受構造は特に問わない。この軸受構造の例として、図３に示すように吊下部２と共に回転する円筒部５１と、円筒部５１の天面及び底面を挟持する側板部５２、５３と、円筒部５１及び側板部５２、５３の中心軸を貫き、これらを回転可能に固定する螺子５４と、からなる構成を挙げることができる。このような構成の軸受部５は、側板部５２が腕部９に固定されることで、円筒部５１及び吊下部２が回転可能に軸支されている。
また、軸受部５は、ボールベアリング等を用いてより小さな力で容易に吊下部２を回転させるようにしてもよい。更に、ロータリーダンパーを用いて吊下部２が勢いよく回転しないようにしてもよい。
【００１４】
接続部７は、軸受部５（図３においては軸受部５の円筒部５１）により吊下部２を支持することができるように両者を接続することができれば良く、例えば棒状体等を用いて接続することを挙げることができる。また、紐等により接続しても良い。更に、吊下部２及び接続部７が一体に形成されていてもよいし、吊下部２、軸受部５及び接続部７が一体に形成されていてもよい。
【００１５】
腕部９は、一端が軸受部５（図３においては軸受部５の側板部５２）に接続されて吊下部２を回転可能に軸支し、他端が陳列棚のバー２５等に係止される係止部１１を有していれば良く、その形状を特に問わない。また、腕部９及び係止部１１の組を複数備えることができる。この複数組の腕部９及び係止部１１を用いて、バー２５の異なる位置、即ち水平方向の異なる複数位置に係止することにより、本回転ハンガー１の使用時における脱落を効果的に抑制することができる。
例えば、図５に例示するように、腕部９及び係止部１１が１組の場合に正面から吊下部２を回転させようとして、図５における左右の端に位置する吊下部２を上下方向に触れると、接触した点６１が力点となり、係止部１１が軸の支点且つ作用点となる梃となるため、容易に本回転ハンガー１が係止部１１を軸として回動してしまうため係止が不安定となりやすい。
一方、図６に例示するように、バー２５の水平方向の異なる複数位置に係止することにより、支点６２及び作用点６３がそれぞれ異なる係止部１１となるため、支点６２と作用点６３との距離が増加して回転ハンガー１を回動するために必要とする力が増大するため、容易に回転ハンガー１が支点６２を軸にして回動することがなくなり、係止を安定させることができる。尚、回転ハンガーの係止を安定させる手段として、複数組の腕部９及び係止部１１を用いる場合に限られず、例えばバーの長さ方向に幅広の係止部を用いることができる。このような幅広の係止部であっても支点及び作用点を異なる位置とすることができるため、回転ハンガーの係止を安定させることができる。
【００１６】
係止部１１は、バー２５等に係止して、商品を吊り下げた回転ハンガー１が容易に脱落しないよう陳列棚２１に取り付ける部材である。係止部１１の構成は特に問わないが、通常、バー２５を上方から抱え込むように把持するコの字形状の部材が用いられる。また、係止部１１は、ネジ止め等によりバー２５に固定しても良い。
【００１７】
図７及び図８に、回転ハンガー１を陳列棚２１に配設して、吊下部２に商品３１を吊り下げたときの図を示す。図７及び図８に示す回転ハンガー１は金属製である。また、円環形状の吊下部２は、４本の棒状の接続部により回転構造を備える軸受部５（円筒部５１）と接続されており、吊下部２の円環の中心点に位置する軸受部５を軸として回転することができる。更に、２本の棒状の腕部９が、軸受部５（側板部５２）に接続されている。また、腕部９にはそれぞれ棒材を折り曲げて形成される係止部１１が設けられている。
更に、回転ハンガー１は、陳列棚２１の２本の柱２３間に水平に渡されるバー２５に係止部１１によって係止される。このとき、回転ハンガー１は、陳列棚２１の基台２７上、即ち陳列棚２１内に収まる。
【００１８】
回転ハンガー１は、図７に示すように陳列棚２１の上下方向に設けられた３段のバー２５ａ、２５ｂ、２５ｃにそれぞれ１つずつ（１ａ、１ｂ、１ｃ）設けられる。そして、各段に位置する回転ハンガー１ａ、１ｂ、１ｃは図８に例示するように、吊下部２の開口部３の縁に長方形状のシートの上辺中央に吊り下げ用のフックを設けた各種大きさの商品３１ａ、３１ｂ、３１ｃを多数吊り下げられている。吊り下げられた商品３１ａ、３１ｂ、３１ｃは、陳列棚２１の基台２７上、即ち陳列棚２１内に収まる。
【００１９】
このような各回転ハンガー１は、軸受部５を軸として吊下部２を回転させることで、吊下部２の外周に沿って陳列されている商品３１を順次正面に移動させることができ、その場で多くの商品３１を視認することができる。また、吊下部２が円環形状であるため、種類が異なる多数の商品３１を均一に陳列するのに特に適している。
また、腕部９及び係止部１１は２組具備しており、係止部１１が水平方向に離間してバー２５に係止しているので、吊下部２に上下方向の力が加わっても腕部９及び係止部１１が１組であるときよりも係止部１１を軸にして回動しにくく、回転ハンガー１を安定して使用することができる。
【００２０】
尚、本考案においては、以上に示した実施形態に限られず、目的、用途に応じて本考案の範囲内で種々変更した態様とすることができる。例えば、本実施例の回転ハンガーは、金属製であるがこれに限られず、樹脂製、木製等としてもよい。また、吊下部２の径は吊り下げる商品に応じて適宜変更することができる。更に、吊下部２に複数のフックを設けて商品を引っ掛けて吊り下げても良い。
【符号の説明】
【００２１】
２；吊下部、３；開口部、５；軸受部、７；接続部、９；腕部、１１；係止部、
２１；陳列棚、２３；柱、２５；バー、
３１；商品。
【図１】
0003187206.tif 000003
【図２】
0003187206.tif 000004
【図３】
0003187206.tif 000005
【図４】
0003187206.tif 000006
【図５】
0003187206.tif 000007
【図６】
0003187206.tif 000008
【図７】
0003187206.tif 000009
【図８】
0003187206.tif 000010